(57)【特許請求の範囲】
【請求項１】
枠体１に着脱自在に設けた固定板２と、固定板２に可動自在に装着した摺動板３とを設け、かつ、固定板２と摺動板３とに夫々係止片４・５とを設け、両係止片４・５の間にコイルバネ６を装着して摺動板３を固定板２の係止片４の方向に付勢するコイルバネ装置において、
前記係止片５は平板状部材の端に切欠部５ａを形成し、前記コイルバネ６は先端をＵ字形に形成して前記係止片５の切欠部５ａに係合し、前記コイルバネ６のＵ字形に形成した端部６ａが係止片５の平板状部材との間に浮き上がって隙間を介して位置するとともに、
この隙間を介して位置するコイルバネ６の端部６ａよりも前方の平板状部材が、このコイルバネ６の端部に接近するようにＬ字形に折り曲げられて保護板７を形成し、
この折り曲げた保護板７は係止片５の平板状部材から浮き上がったコイルバネ６の端部６ａよりも背を高くして、コイルバネ６のＵ字形に形成した端部６ａが保護されていることを特徴とするコイルバネの外れ防止構造。
【発明の詳細な説明】
【０００１】
【産業上の利用分野】
この発明はコイルバネが装置された固定板と摺動板とを枠体に着脱操作する時に、コイルバネの外れを防止する構造に関する。
【０００２】
【従来の技術】
固定板に対して支軸やガイドに沿って可動する摺動板を設け、固定板と摺動板との間にコイルバネを装着し、この組付け部品を枠体にねじなどで固定することが行なわれている。このような構造では図４に示すように係止片に孔をあけて、この孔に丸まったコイルバネの端部を嵌合することで、コイルバネが取付けられている。
【０００３】
この構造であれば、コイルバネの先端が丸まっているので外れる恐れはないが、コイルバネの丸まった先端を係止片の孔にはめ込む作業がめんどうで、素早い取付け作業をすることができなかった。
【０００４】
この取付け作業を容易にする為に、図５に示すように、係止片の孔に代わる切欠部を設け、コイルバネの端部をＵ字形に形成し、コイルバネを引伸ばしながらこのＵ字形の端部を係止片の切欠部に嵌合すれば、コイルバネは自分の持つ収縮力でＵ字形部が切欠部に嵌合するので、簡単にコイルバネが装着できるようになった。
【０００５】
【発明が解決しようとする課題】
この係止片の切欠部とコイルバネのＵ字形の端部とが係止する構造は、組付け作業が簡単になって効率アップが得られており、このコイルバネが枠体本体と摺動板との間で行なわれる時は、取付け後に作業者の手が触れることはなく、特に問題なく使用できるものである。
【０００６】
しかし、このコイルバネの取付け構造を枠体に取付ける組付け部品に適用して、固定板や摺動板を持った部品の形で管理したり、この一体化した部品を枠体などに着脱する構造とした時には、人手によって移動や組付けが行なわれ、この時、手や指を保護する為に手袋を着用して作業するから、コイルバネのＵ字形の端部に手袋がひっかかり易く、手袋にＵ字形の端部をひっかけてコイルバネが外してしまうことがあった。
【０００７】
【課題を解決するための手段】
上記の目的を解決するこの発明は、枠体１に着脱自在に設けた固定板２と、固定板２に可動自在に装着した摺動板３とを設け、かつ、固定板２と摺動板３とに夫々係止片４・５とを設け、両係止片４・５の間にコイルバネ６を装着して摺動板３を固定板２の係止片４の方向に付勢するコイルバネ装置において、前記係止片５は平板状部材の端に切欠部５ａを形成し、前記コイルバネ６は先端をＵ字形に形成して前記係止片５の切欠部５ａに係合し、前記コイルバネ６のＵ字形に形成した端部６ａが係止片５の平板状部材との間に浮き上がって隙間を介して位置するとともに、この隙間を介して位置するコイルバネ６の端部６ａよりも前方の平板状部材が、このコイルバネ６の端部に接近するようにＬ字形に折り曲げられて保護板７を形成し、この折り曲げた保護板７は係止片５の平板状部材から浮き上がったコイルバネ６の端部６ａよりも背を高くして、コイルバネ６のＵ字形に形成した端部６ａが保護されて直接この端部６ａに手や指が触れない様にしたものである。
【０００８】
【作用】
この発明のコイルバネ６は端部６ａをＵ字形に成形しており、また、係止片５には切欠部５ａを設けたから、コイルバネ６を伸長した状態で端部６ａのＵ字形部を切欠部５ａ付近に位置させて離すだけで、コイルバネ６の収縮時に端部６ａのＵ字形部が切欠部５ａに嵌合するものであり、コイルバネ６を係止片５に係止する為に特殊な動作を必要とせず、簡単に係止できるようになった。
【０００９】
また、固定板２と摺動板３とに設けた両係止片４・５の間にコイルバネ６を装着し、枠体１とこの固定板２とを着脱する構成では、手袋などで保護した手で一体となった固定板２・摺動板３を持って枠体１の指定場所に動かす作業があり、この時、切欠部５ａに係止したコイルバネ６のＵ字形の部分の端は浮き上がっているから、この浮き上がったＵ字形の端で手袋が引っ係ることがある。
【００１０】
そして、この状態で無理に手袋を引っ張ると、コイルバネ６のＵ字形部が引っ張られて、Ｕ字形部と切欠部５ａとが外れてしまうことがある。この発明では切欠部５ａ付近の係止片５には保護板７を設けたから、コイルバネ６の端部６ａより保護板７の高さを高くしておけば、コイルバネ６の付近を手袋が押さえても、手袋とＵ字形部は引っ係らなくコイルバネ６の外れが防止できたものである。
【００１１】
【実施例】
図に示す石油燃焼器の点火装置に実施した構造によってこの発明を説明すると、１は石油燃焼器の油タンクから立ち上げた枠体、２は枠体１にねじ８によって取付ける点火装置の固定板、３は支軸９によって固定板２に回動自在に取付けた摺動板、１０は摺動板３に取付けた点火器、１１は点火孔１２を開閉する為の開閉板であり、該開閉板１１はガイド軸１３と長孔１１ａとの嵌合によって操作方向が定まり、かつ、開閉板１１は連動軸１４によって摺動板３と連動している。
【００１２】
１５は油タンクから立設した芯保持筒、１６は芯保持筒１５に装着した芯であり、該芯１６は図示せざる芯上下装置によって上下動する。１７は固定板２に摺動自在に設けた点火レバー、３ａは摺動板３の駆動片、１１ｂは開閉板１１に取付けた点火扉であり、該点火レバー１７を押すと駆動片３ａが押されて摺動板３が可動し、この時、連動軸１４を介して開閉板１１を移動するので、芯保持筒１５にあけた点火孔１２を覆っていた点火扉１１ｂは点火孔１２から外れる。
【００１３】
１８は固定板２に設けた押板、１９は摺動板３に取付けた点火スイッチであり、点火レバー１７によって押されて可動する摺動板３の点火器１０は点火孔１２に向けて移動し、この時、点火スイッチ１９が押板１８に押されて点火器１０に通電する。そして、通電されて赤熱する点火器１０は点火孔１２から芯１６に近づいて着火する。
【００１４】
６は固定板２と摺動板３との間に取付けたコイルバネであり、点火レバー１７によって押されて摺動板３が可動する時、コイルバネは６は伸ばされる。そして、芯１６に着火後点火レバー１７の押し力をやめると、コイルバネ６は収縮して摺動板３を元の位置に復帰させ、点火孔１２は点火扉１１ｂによって塞がれ、石油燃焼器は通常燃焼を開始する。
【００１５】
上記のような構造で使用されるコイルバネ６の取付けは、従来では図４のようになっており、摺動板や固定板からコイルバネの装着方向に向かって係止片を折曲げ、係止片にあけた孔にコイルバネ６の丸まった端を係合させており、取付け作業に慣れない内は非常に取付けにくいものであった。
【００１６】
この発明はこの取付けにくさを改善するもので、４は固定板２に設けた係止片、５は摺動板３に設けた係止片、４ａ及び５ａはコイルバネ６との取付け部を構成する切欠部である。また、６ａはコイルバネ６の端部であり、Ｕ字形に形成してある。この為、コイルバネ６を伸長した状態で、Ｕ字形部を切欠部５ａの付近に位置させて離せば、コイルバネ６の収縮時にＵ字形の端部６ａが切欠部５ａに嵌合するものであり、従来のようにコイルバネの端を小さな孔に挿入するような面倒な作業は不要になった。
【００１７】
また、この発明の実施例のように、固定板２と摺動板３とが一体となって、枠体１にねじ８などで着脱自在に取付けられる時には、作業者が手袋をはめた手で点火装置全体を持ち運んだり、固着作業をするものである。そして、図５に示すようにＵ字形のコイルバネ６の先は浮き上がっており、作用中にこの浮き上がったＵ字形の部分が手袋にひっかかり、簡単にコイルバネ６を引っ張って外すことが多かった。
【００１８】
この発明はこのようなトラブルにも対応できるようにしたもので、７は係止片５の切欠部５ａの付近で、コイルバネ６の端部６ａと接触したり小間隙を介して位置すると共に、Ｕ字形のコイルバネ６の端部よりも背を高く形成した保護板７であり、作業者が不用意にコイルバネ６の端部６ａ付近を手袋をした手でさわっても、手袋は保護板７に触れるだけで、コイルバネ６の先端のＵ字形部の接触させないようにしたものである。
【００１９】
この為、Ｕ字形のコイルバネ６の端が作業中の手袋に引っ係り、これを外すまでに長い時間ががかってその間作業がストップしたり、無理に引っ張ってコイルバネ６を外してしまい、コイルバネ６の取付け作業からやり直す必要が生まれたりすることによって、作業工程の大きなブレーキとなっていたが、この発明の保護板７を切押しやスポット溶接で取付けておくだけで、このようなトラブルが解消することとなった。
【００２０】
尚、この発明は摺動板３の係止片５の切欠部５ａにコイルバネ６のＵ字形部が係止する時の構造や、作用・効果の説明を行なっているが、コイルバネ６の他の端部に該当するもう一方の固定板２の係止片４や切欠部４ａでも手袋が引っ係る恐れがある時には、この部分にも保護板７を取付けてもよく、手袋の引っ係りによるコイルバネ６の外れが防止できるものである。
【００２１】
【発明の効果】
以上のように、この発明ではコイルバネ６の端部６ａをＵ字形に成形して、係止片５の切欠部５ａに係止する構成であるから、コイルバネ６を伸ばしてコイルバネ６のＵ字形の端部６ａを切欠部５ａに係止すればよく、従来の係止片の孔にコイルバネの丸まった端を係合する面倒な作業を必要とせず、コイルバネ６は簡単に摺動板３に係止できるようになったものである。
【００２２】
また、コイルバネ６は枠体１に直接取付けられるのではなく、固定板２と摺動板３との間に装着されており、固定板２が枠体１に着脱する構造で実施する時には、固定板２・摺動板３からなる部品を手袋などで保護した手で取扱うものであり、切欠部５ａに係止した時に浮き上がったコイルバネ６の端のＵ字形部分に手袋がひっかかり易くなるものである。
【００２３】
この発明では切欠部５ａ付近の係止片５にコイルバネ６のＵ字形部より背が高い保護板７を設けたから、コイルバネ６の付近を手袋が押さえても、手袋はＵ字形部に引っ係らなくなり、作業途中でこの引っ係りを外す作業を行なったり、無理に手袋を引っ張ってコイルバネ６を外してしまって、コイルバネ６の取付け作業からやり直したりする必要がなくなったものである。
【００２４】
更に、Ｕ字形のコイルバネ６を切欠部５ａに係止する構造は、簡単に取付けできるものの、作業者が部品として取扱う時には逆に外れ易いものであり、どこにでも利用できるものではなかったが、この発明の構造によって、利用範囲を拡大することが可能となり、作業性の向上に寄与することができた。
【図面の簡単な説明】
【図１】この発明の実施例を示すコイルバネの取付け部の断面図である。
【図２】この発明のコイルバネの取付け部を実施する石油燃焼器の点火装置の一部切欠き要部平面図である。
【図３】図２に示す石油燃焼器の点火装置の点火時の一部切欠き要部平面図である。
【図４】従来例に置けるコイルバネの取付け部の断面図である。
【図５】この発明装置で解決しようとする欠点のあるコイルバネの取付け部の断面図である。
【符号の説明】
１    枠体
２    固定板
３    摺動板
４    係止片
５    係止片
５ａ  切欠部
６    コイルバネ
６ａ  コイルバネの端部
７    保護板
【図１】
0003728832.tif 000002
【図４】
0003728832.tif 000003
【図５】
0003728832.tif 000004
【図２】
0003728832.tif 000005
【図３】
0003728832.tif 000006